(57)【特許請求の範囲】
【請求項１】
複数の動画像データが一つの画面に表示されている一以上の端末において、前記複数の動画像データのうち所定時間帯に最も良い評価が与えられた一つの前記動画像データを識別する動画像識別情報と、前記複数の動画像データに含まれる前記一つの動画像データにおいて基準レベル以上の良い評価が与えられた前記所定時間帯に含まれる時刻である評価付与時刻とを取得する取得部と、
前記評価が与えられた動画像データを含む複数の動画像データを表示する表示端末が前記複数の動画像データを一つの画面に表示するように前記複数の動画像データを前記表示端末に配信する場合に、前記複数の動画像データのうち前記最も良い評価が与えられた前記一つの動画像データを、前記評価付与時刻以前の時刻から、前記表示端末に表示された前記複数の動画像データのうち他の動画像データに比べて強調した表示態様で表示させる表示態様制御部と、
を有する表示制御装置。
【請求項２】
前記表示態様制御部は、前記複数の動画像データを前記表示端末に配信する場合に、前記最も良い評価が与えられた前記一つの動画像データを、前記複数の動画像データが表示された前記所定時間帯で最も評価が多くなった時刻である前記評価付与時刻以前の時刻から、前記表示端末に表示された前記複数の動画像データのうち他の動画像データに比べて強調した表示態様で表示させる、
請求項１に記載の表示制御装置。
【請求項３】
前記取得部は、複数の前記動画像識別情報と前記評価付与時刻とを取得し、
前記表示態様制御部は、所定数以上の前記端末から前記評価が与えられた前記一つの動画像データを、前記評価付与時刻以前の時刻から、他の動画像データに比べて強調した表示態様で表示させる、
請求項１又は２に記載の表示制御装置。
【請求項４】
前記表示態様制御部は、所定数以上の前記端末から前記評価が与えられた前記一つの動画像データの表示領域を、前記評価付与時刻以前の時刻から、他の動画像データの表示領域に比べて大きくする、
請求項１から３のいずれか一項に記載の表示制御装置。
【請求項５】
前記表示態様制御部は、前記最も良い評価が与えられた前記一つの動画像データに関連付けて、前記評価を示す情報を表示させる、
請求項１から４のいずれか一項に記載の表示制御装置。
【請求項６】
前記表示態様制御部は、前記評価付与時刻以前の時刻から、前記最も良い評価が与えられた前記一つの動画像データと前記評価を示す情報とを関連付けて表示させる、
請求項５に記載の表示制御装置。
【請求項７】
前記表示態様制御部は、前記最も良い評価が与えられた前記一つの動画像データを、前記評価付与時刻以前の時刻から、他の動画像データと異なる表示態様で表示させるための表示制御情報を前記表示端末に送信することにより、前記表示端末において、前記最も良い評価が与えられた前記一つの動画像データを前記他の動画像データに比べて強調した表示態様で表示させる、
請求項１から６のいずれか一項に記載の表示制御装置。
【請求項８】
前記取得部は、複数の撮像装置が所定の領域を撮影することにより生成された前記動画像データを識別する動画像識別情報を取得する、
請求項１から７のいずれか一項に記載の表示制御装置。
【請求項９】
前記表示態様制御部は、前記評価を行ったユーザの端末とは異なる前記表示端末において、前記最も良い評価が与えられた前記一つの動画像データを、前記評価付与時刻以前の時刻から、前記表示端末に表示された他の動画像データに比べて強調した表示態様で表示させる、
請求項１から８のいずれか一項に記載の表示制御装置。
【請求項１０】
前記取得部は、複数の端末において前記評価が与えられた前記動画像データを識別する動画像識別情報と、前記動画像データにおいて前記評価が与えられた時刻である評価付与時刻とを取得する、
請求項１から９のいずれか一項に記載の表示制御装置。
を有する端末。
【請求項１１】
コンピュータが実行する、
複数の動画像データが一つの画面に表示されている一以上の端末において、前記複数の動画像データのうち所定時間帯に最も良い評価が与えられた一つの前記動画像データを識別する動画像識別情報と、前記複数の動画像データに含まれる前記一つの動画像データにおいて基準レベル以上の良い評価が与えられた前記所定時間帯に含まれる時刻である評価付与時刻とを取得するステップと、
前記評価が与えられた動画像データを含む複数の動画像データを表示する表示端末が前記複数の動画像データを一つの画面に表示するように前記複数の動画像データを前記表示端末に配信する場合に、前記複数の動画像データのうち前記最も良い評価が与えられた前記一つの動画像データを、前記評価付与時刻以前の時刻から、前記表示端末に表示された前記複数の動画像データのうち他の動画像データに比べて強調した表示態様で表示させるステップと、
を有する表示制御方法。
【請求項１２】
コンピュータを、
複数の動画像データが一つの画面に表示されている一以上の端末において、前記複数の動画像データのうち所定時間帯に最も評価が与えられた一つの前記動画像データを識別する動画像識別情報と、前記複数の動画像データに含まれる前記一つの動画像データにおいて基準レベル以上の良い評価が与えられた前記所定時間帯に含まれる時刻である評価付与時刻とを取得する取得部、及び、
前記評価が与えられた動画像データを含む複数の動画像データを表示する表示端末が前記複数の動画像データを一つの画面に表示するように前記複数の動画像データを前記表示端末に配信する場合に、前記複数の動画像データのうち前記最も良い評価が与えられた前記一つの動画像データを、前記評価付与時刻以前の時刻から、前記表示端末に表示された前記複数の動画像データのうち他の動画像データに比べて強調した表示態様で表示させる表示態様制御部、
として機能させる表示制御プログラム。
【発明の詳細な説明】
【技術分野】
【０００１】
本発明は、表示制御装置、端末、表示制御方法及び表示制御プログラムに関する。
【背景技術】
【０００２】
従来、画像を表示できる端末に、複数のカメラで撮像された複数の動画を配信し、端末に複数の動画を表示する技術が知られている（例えば、特許文献１を参照）。
【先行技術文献】
【特許文献】
【０００３】
【特許文献１】特開平１１−２８９５３１号公報
【発明の概要】
【発明が解決しようとする課題】
【０００４】
従来の端末は、予め定められた表示構成で複数の動画を表示していた。したがって、複数の動画の中に、過去に閲覧したユーザの間で盛り上がった盛り上がり動画が含まれていても、新たに動画を視聴するユーザが、盛り上がった時点において盛り上がり動画から視線を外していた場合に、盛り上がりシーンを見落とす可能性があった。
【０００５】
そこで、本発明はこれらの点に鑑みてなされたものであり、過去に閲覧した他のユーザの間で盛り上がった動画像をユーザが適切なタイミングで視聴し易いようにすることを目的とする。
【課題を解決するための手段】
【０００６】
本発明の第１の態様に係る表示制御装置は、動画像データが表示されている一以上の端末において評価が与えられた前記動画像データを識別する動画像識別情報と、前記動画像データにおいて前記評価が与えられた時刻である評価付与時刻とを取得する取得部と、前記評価が与えられた動画像データを含む複数の動画像データを表示する端末が前記複数の動画像データを一つの画面に表示するように前記複数の動画像データを前記端末に配信する場合に、前記評価が与えられた動画像データを、前記評価付与時刻以前の時刻から、前記端末に表示された他の動画像データと異なる表示態様で表示させる表示態様制御部と、を有する。
【０００７】
本発明の第２の態様に係る端末は、一つの画面に表示させる複数の動画像データを取得する動画像データ取得部と、前記複数の動画像データのうち、過去に評価が与えられた動画像データを、他の動画像データと異なる表示態様で表示させるための制御情報を、前記評価が前記動画像データに対して与えられた時刻である評価付与時刻以前に取得する制御情報取得部と、前記複数の動画像データを表示部に表示させるとともに、前記制御情報に基づいて、過去に評価が与えられた動画像データを、他の動画像データと異なる表示態様で表示させる表示制御部と、を有する。
【０００８】
本発明の第３の態様に係る表示制御方法は、コンピュータが実行する、動画像データが表示されている一以上の端末において評価が与えられた前記動画像データを識別する動画像識別情報と、前記動画像データにおいて前記評価が与えられた時刻である評価付与時刻とを取得するステップと、前記評価が与えられた動画像データを含む複数の動画像データを表示する端末が前記複数の動画像データを一つの画面に表示するように前記複数の動画像データを前記端末に配信する場合に、前記評価が与えられた動画像データを、前記評価付与時刻以前の時刻から、前記端末に表示された他の動画像データと異なる表示態様で表示させるステップと、を有する。
【０００９】
本発明の第４の態様に係る表示制御プログラムは、コンピュータを、動画像データが表示されている一以上の端末において評価が与えられた前記動画像データを識別する動画像識別情報と、前記動画像データにおいて前記評価が与えられた時刻である評価付与時刻とを取得する取得部、及び、前記評価が与えられた動画像データを含む複数の動画像データを表示する端末が前記複数の動画像データを一つの画面に表示するように前記複数の動画像データを前記端末に配信する場合に、前記評価が与えられた動画像データを、前記評価付与時刻以前の時刻から、前記端末に表示された他の動画像データと異なる表示態様で表示させる表示態様制御部、として機能させる。
【発明の効果】
【００１０】
本発明によれば、過去に閲覧した他のユーザの間で盛り上がった動画像をユーザが適切なタイミングで視聴し易くすることができるという効果を奏する。
【図面の簡単な説明】
【００１１】
【図１】複数のカメラが競技場に設置されている状態を示す模式図である。
【図２】複数のカメラが作成した複数の動画像データに基づく画像がディスプレイに表示された状態を示す図である。
【図３】画像処理システムのシステム構成図である。
【図４】サーバの構成を示す図である。
【図５】ユーザ端末の構成を示す図である。
【図６】表示制御管理情報の一例を示す図である。
【図７】画像処理システムの動作シーケンス図である。
【発明を実施するための形態】
【００１２】
［画像処理システムＳの概要］
図１及び図２は画像処理システムＳの概要を説明するための図である。画像処理システムＳは、それぞれ異なるアングルから所定の領域を撮影する複数の撮像装置であるカメラＣ（図１においてはＣ１〜Ｃ５）が出力した複数の動画像データを一つの画面に表示するように、動画像を見る人（以下、「ユーザ」という）が使用するユーザ端末に配信するシステムである。カメラＣは、例えば競技が開催されている競技場、又はイベントが開催されているイベント会場に設置されており、所定の領域は、それぞれのカメラＣが撮影可能な領域である。本明細書において、複数のカメラＣ１〜Ｃ５のそれぞれを区別する必要がない場合、カメラＣと称することがある。
【００１３】
図１は、複数のカメラＣ１〜Ｃ５が競技場に設置されている状態を示す模式図である。図２は、複数のカメラＣ１〜Ｃ５が作成した複数の動画像データに基づく動画像がユーザ端末に表示された状態を示す図である。
【００１４】
画像処理システムＳは、複数の動画像データをユーザ端末に配信し、図２（ａ）に示すように、複数の動画像データを一つの画面に表示させる。図２（ａ）は、ディスプレイにおける複数の領域Ｒ１〜Ｒ５のそれぞれに、カメラＣ１〜Ｃ５で撮影された動画像が表示されている状態を示している。図２（ａ）においては、カメラＣ１で撮影された画像が、最も大きい領域Ｒ１に表示されており、他の画像は、領域Ｒ１よりも小さな領域Ｒ２〜Ｒ５に表示されている。また、複数の領域Ｒ１〜Ｒ５には、動画像を評価するための評価ボタンｉが表示されている。評価ボタンｉを押下することによりユーザ端末のユーザは動画像を評価することができる。
【００１５】
画像処理システムＳは、複数の動画像データを一つの画面に表示しているユーザ端末において、当該動画像データに対して過去に与えられた評価に基づいて、動画像データの表示態様を変化させることができるという特徴を有する。画像処理システムＳは、評価が与えられた動画像データを、当該評価が付与された時刻である評価付与時刻以前の時刻から、ユーザ端末に表示された他の動画像データと異なる表示態様で表示させる。例えば、カメラＣ３で撮像された動画像に相対的に良い評価が与えられている場合、画像処理システムＳは、評価付与時刻以前の時刻から、図２（ｂ）に示すように、領域Ｒ３を強調して表示させる。
【００１６】
このようにすることで、複数の動画像データの中に、過去に閲覧したユーザの評価が高くユーザ間で盛り上がった盛り上がり動画像が含まれている場合に、ユーザ端末のユーザは、盛り上がった時点（例えば、ユーザの評価が一定数以上となった時点）になる前から当該盛り上がり動画像に着目して動画像データを視聴することができる。したがって、画像処理システムＳは、過去に閲覧したユーザの間で盛り上がった動画像をユーザが適切なタイミングで視聴し易くすることができる。
【００１７】
［画像処理システムＳの構成］
以下、画像処理システムＳの構成を説明する。図３は、画像処理システムＳのシステム構成図である。画像処理システムＳは、複数のカメラＣ（Ｃ１〜Ｃ５）と、表示制御装置としてのサーバ１と、ユーザ端末２とを有する。複数のカメラＣ、サーバ１及びユーザ端末２は、ネットワークＮを介して各種のデータを送受信する。ネットワークＮは、インターネット又は携帯電話網等を含む。
【００１８】
［サーバ１の構成］
図４は、サーバ１の構成を示す図である。サーバ１は、通信部１１と、記憶部１２と、制御部１３とを有する。制御部１３は、取得部１３１、設定部１３２及び表示態様制御部１３３を有する。
【００１９】
通信部１１は、ネットワークＮを介して複数のカメラＣ及びユーザ端末２との間でデータを送受信するための通信インターフェースを有する。通信部１１は、複数のカメラＣから受信した複数の動画像データを取得部１３１に入力する。
【００２０】
また、通信部１１は、表示態様制御部１３３から入力された配信用の動画像データを、ネットワークＮを介してユーザ端末２へと送信する。また、通信部１１は、動画像データのユーザ端末２における表示態様を制御するための表示制御情報を、ネットワークＮを介してユーザ端末２へと送信する。表示制御情報は、ユーザ端末２において一つの画面に表示される複数の動画像データのうち、過去に評価が与えられた動画像データを、他の動画像データと異なる表示態様で表示させるための情報である。表示制御情報は、他の動画像データと異なる表示態様で表示させる動画像データを識別するための動画像ＩＤが含まれている。
【００２１】
記憶部１２は、ＲＯＭ（Read Only Memory）、ＲＡＭ（Random Access Memory）及びハードディスク等の記憶媒体を有する。記憶部１２は、制御部１３が実行するプログラムを記憶している。
【００２２】
また、記憶部１２は、通信部１１が受信した動画像データを記憶する。具体的には、記憶部１２は、一つの画面に表示させる複数の動画像データと、当該動画像データの動画像ＩＤと、当該一つの画面に対応するコンテンツを識別するコンテンツＩＤとを関連付けて、コンテンツ情報として記憶させる。
【００２３】
制御部１３は、例えばＣＰＵ（Central Processing Unit）を有しており、記憶部１２に記憶されたプログラムを実行することにより、取得部１３１、設定部１３２及び表示態様制御部１３３として機能する。制御部１３の各部の動作の詳細については後述する。
【００２４】
［ユーザ端末２の構成］
図５は、ユーザ端末２の構成を示す図である。ユーザ端末２は、操作部２１と、表示部２２と、通信部２３と、記憶部２４と、制御部２５とを有する。制御部２５は、動画像データ取得部２５１と、制御情報取得部２５２と、表示制御部２５３と、評価情報送信部２５４とを有する。
【００２５】
操作部２１は、ユーザの操作を受け付ける操作デバイスであり、例えば表示部２２の表面に設けられたタッチパネルである。操作部２１は、ユーザがタッチした位置を示す信号を制御部２５に通知する。表示部２２は、各種の情報を表示するディスプレイである。
【００２６】
通信部２３は、ネットワークＮを介してサーバ１との間でデータを送受信するための通信インターフェースを有する。通信部２３は、サーバ１から受信した動画像データを動画像データ取得部２５１に入力する。また、通信部２３は、サーバ１から受信した、動画像データの表示態様を制御するための表示制御情報を制御情報取得部２５２に入力する。
【００２７】
記憶部２４は、ＲＯＭ（Read Only Memory）、ＲＡＭ（Random Access Memory）及びハードディスク等の記憶媒体を有する。記憶部２４は、制御部２５が実行するプログラムを記憶している。また、記憶部２４は、サーバ１が配信する動画像を視聴するための動画像視聴アプリケーションを記憶する。
【００２８】
制御部２５は、例えばＣＰＵ（Central Processing Unit）を有しており、記憶部２４に記憶されたプログラムを実行することにより、動画像データ取得部２５１、制御情報取得部２５２、表示制御部２５３、及び評価情報送信部２５４として機能する。
【００２９】
動画像データ取得部２５１は、通信部２３を介して一つの画面に表示させる複数の動画像データをサーバ１から取得する。動画像データ取得部２５１は、サーバ１が配信する動画像データを視聴するための動画像視聴アプリケーションが実行されている状態で、操作部２１を介してユーザが視聴する競技やイベント等のコンテンツの選択を受け付ける。動画像データ取得部２５１は、選択されたコンテンツを識別するためのコンテンツＩＤを含み、当該コンテンツの取得要求をサーバ１に送信する。動画像データ取得部２５１は、サーバ１から送信された、選択されたコンテンツに対応する複数の動画像データを取得する。
【００３０】
制御情報取得部２５２は、通信部２３を介して動画像データの表示態様を制御するための表示制御情報をサーバ１から取得する。制御情報取得部２５２は、複数の動画像データのうち、過去に評価が与えられた動画像データを、他の動画像データと異なる表示態様で表示させるための表示制御情報を、当該評価が動画像データに対して与えられた時刻である評価付与時刻以前に取得する。
【００３１】
表示制御部２５３は、動画像データ取得部２５１が取得した複数の動画像データを表示部２２に表示させる。表示制御部２５３は、複数の動画像データのそれぞれが示す動画像を図２に示すように一つの画面に集約し、当該画面を表示部２２に表示させる。一つの画面に含まれる複数の動画像データのそれぞれの領域には、ユーザが動画像に対して良い評価を行うための評価ボタンが表示される。また、表示制御部２５３は、操作部２１を介したユーザの操作に応じて、最も大きく表示させる動画像データを切り替える。
【００３２】
表示制御部２５３は、制御情報取得部２５２が表示制御情報を取得すると、当該表示制御情報に基づいて、過去に評価が与えられた動画像データを、他の動画像データと異なる表示態様で表示させる。例えば、表示制御部２５３は、表示制御情報に基づいて、過去に評価が与えられた動画像データを、評価付与時刻以前の時刻から、他の動画像データに比べて強調して表示させる。強調表示は、例えば、評価が与えられた動画像データが表示される領域の枠線を太くしたり、枠線の色を、他の領域の枠線の色とは異なり目立つ色に変更したりすることで実現される。また、表示制御部２５３は、表示制御情報に基づいて、過去に評価が与えられた動画像データの表示領域を、評価付与時刻以前の時刻から、他の動画像データの表示領域に比べて大きくしてもよい。
【００３３】
評価情報送信部２５４は、ユーザが評価ボタンを押下したことに応じて、押下された評価ボタンに対応する動画像の評価が行われたことを示す評価情報をサーバ１に送信する。評価情報には、評価を行ったユーザを識別するためのユーザＩＤと、評価が行われた動画像データであって、複数のカメラＣが所定の領域を撮影することにより生成された動画像データを識別するための動画像識別情報としての動画像ＩＤとが含まれている。
【００３４】
［制御部１３の各部の動作］
続いて、制御部１３の各部の動作について説明する。
取得部１３１は、動画像データが表示されている一以上のユーザ端末２において評価が与えられた動画像データを識別する動画像ＩＤと、当該動画像データにおいて評価が与えられた時刻である評価付与時刻とを取得する。取得部１３１は、一つの画面に複数の動画像データを表示している一以上のユーザ端末２のそれぞれから、複数の評価情報を取得することにより、複数の動画像ＩＤと、評価付与時刻とを取得する。
【００３５】
具体的には、取得部１３１は、一以上のユーザ端末２から評価情報を受信することにより、評価情報に含まれる動画像ＩＤを取得する。また、取得部１３１は、ユーザ端末２から評価情報を受信した時刻を評価付与時刻として取得する。評価付与時刻は、例えば、動画像データがユーザ端末２に配信された時刻からの経過時間を示すものとする。評価付与時刻は、配信された時刻からの経過時間に限らず、動画像データの再生時間（再生位置）であってもよい。取得部１３１は、取得した動画像ＩＤと、評価付与時刻とを関連付けて評価履歴情報として記憶部１２に記憶させる。
【００３６】
なお、取得部１３１は、一つの画面に複数の動画像データを表示しているユーザ端末２から、評価情報を取得することとしたが、これに限らない。取得部１３１は、当該複数の動画像データのいずれかが表示される一つの画面を表示しているユーザ端末２から評価情報を取得してもよい。
【００３７】
設定部１３２は、ユーザ端末２に表示制御情報を送信するための設定を行う。具体的には、設定部１３２は、記憶部１２に記憶されている評価履歴情報を参照し、複数のコンテンツのそれぞれで、複数の時間帯のそれぞれに対して相対的に多くの評価が与えられた動画像データを特定する。
【００３８】
具体的には、設定部１３２は、評価履歴情報を参照し、一つの画面に表示する複数の動画像データに対して与えられた評価の数を、複数の時間帯のそれぞれにおいて集計する。設定部１３２は、複数の時間帯のそれぞれにおいて、所定数以上の評価が与えられ、かつ、時間帯において最も評価が与えられた一つの動画像データを特定する。
【００３９】
また、設定部１３２は、時間帯において最も評価が与えられた一つの動画像データの動画像ＩＤに関連付けられている数が最も多い評価付与時刻を、当該動画像データの評価付与時刻として特定する。設定部１３２は、複数の時間帯のそれぞれに対して特定された一つの動画像データの動画像ＩＤと、特定した評価付与時刻と、当該動画像ＩＤが示す動画像データが属するコンテンツのコンテンツＩＤとを表示制御管理情報として記憶部１２に記憶させる。
【００４０】
図６は、表示制御管理情報の一例を示す図である。図６に示すように、表示制御管理情報は、コンテンツＩＤと、時間帯と、評価付与時刻と、動画像ＩＤとが関連付けられていることが確認できる。例えば、コンテンツＩＤ「０００１」のコンテンツにおいては、コンテンツが開始してから１０分経過するまでの間に、動画像ＩＤが「３」の動画像データが最も評価されており、評価付与時刻が５分８秒であることが確認できる。
【００４１】
表示態様制御部１３３は、評価が与えられた動画像データを含む複数の動画像データを表示するユーザ端末２が複数の動画像データを一つの画面に表示するように複数の動画像データをユーザ端末２に配信する場合に、評価が与えられた動画像データを、当該評価の評価付与時刻以前の時刻から、ユーザ端末２に表示された他の動画像データと異なる表示態様で表示させる。表示態様制御部１３３は、複数の時間帯のそれぞれにおいて、評価が与えられた数が最も多く、かつ、所定数以上のユーザ端末２から評価が与えられた一つの動画像データを、評価付与時刻以前の時刻から、他の動画像データと異なる表示態様で強調して表示させる。
【００４２】
具体的には、まず、表示態様制御部１３３は、ユーザ端末２からコンテンツの取得要求を取得すると、記憶部１２に記憶されているコンテンツ情報を参照し、コンテンツの取得要求に含まれているコンテンツＩＤに関連付けられている複数の動画像データを特定する。表示態様制御部１３３は、特定した複数の動画像データを一つの画面に表示するように、ユーザ端末２にストリーミング配信する。表示態様制御部１３３は、ユーザ端末２に配信している複数の動画像データの表示開始時刻からの経過時間を計時する。
【００４３】
表示態様制御部１３３は、記憶部１２に記憶されている表示制御管理情報を参照し、ユーザ端末２に配信している複数の動画像データに対応するコンテンツＩＤに関連付けられている動画像ＩＤと、評価付与時刻とを特定する。表示態様制御部１３３は、評価付与時刻よりも所定時間前の時刻になると、当該評価付与時刻に関連付けられている動画像ＩＤを含む表示制御情報をユーザ端末２に送信することにより、当該動画像ＩＤに対応する動画像データを、評価付与時刻以前の時刻から、他の動画像データに比べて強調表示させる。
【００４４】
なお、表示態様制御部１３３は、評価付与時刻よりも所定時間前の時刻になると表示制御情報を送信したが、これに限らない。表示態様制御部１３３は、表示制御情報に、評価付与時刻に関連付けられている動画像ＩＤに対応する動画像データの強調表示を行う時刻を示す強調表示時刻情報を含めておき、例えば、複数の動画像データのユーザ端末２への配信の開始時に表示制御情報を送信してもよい。この場合、ユーザ端末２の表示制御部２５３は、取得した表示制御情報に含まれる強調表示時刻情報に基づいて、評価付与時刻に関連付けられている動画像ＩＤの動画像データの強調表示を行うようにしてもよい。
【００４５】
また、表示態様制御部１３３は、表示制御情報をユーザ端末２に送信し、評価が与えられた動画像データの表示領域を、評価付与時刻以前の時刻から、他の動画像データの表示領域に比べて大きくしてもよい。この場合、表示態様制御部１３３は、評価が与えられた動画像データの表示領域を最も大きい表示領域とする指示情報を含む表示制御情報をユーザ端末２に送信し、ユーザ端末２に、評価が与えられた動画像データの表示領域が最も大きい表示領域となるように制御する。
【００４６】
また、表示態様制御部１３３は、評価が与えられた動画像データに関連付けて、評価付与時刻以前の時刻から、評価を示す情報を表示させるようにしてもよい。評価を示す情報は、例えば、複数のユーザが評価を行っていることを示すゲージである。この場合、表示態様制御部１３３は、一つの画面に表示される複数の動画像データのそれぞれの表示領域に評価の数を示すゲージを表示しておき、評価付与時刻又は評価付与時刻よりも所定時間前の時刻にゲージが示す評価の数が最も多く表示されるように表示制御を行ってもよい。このようにすることで、ユーザ端末２のユーザは、ゲージを確認しながらどの動画像データに着目すべきかを把握することができる。
【００４７】
また、表示態様制御部１３３は、評価を行ったユーザのユーザ端末２とは異なるユーザ端末２において、評価が与えられた動画像データを、評価付与時刻以前の時刻から他の動画像データと異なる表示態様で表示させてもよい。この場合、表示態様制御部１３３は、複数の動画像データを送信しているユーザ端末２を使用するユーザのユーザＩＤを特定する。表示態様制御部１３３は、評価履歴情報を参照し、特定したユーザＩＤが、複数の動画像データそれぞれの動画像ＩＤのいずれかとも関連付けられていない場合に、評価が与えられた動画像データを、評価付与時刻以前の時刻から他の動画像データと異なる表示態様で表示させる。このようにすることで、サーバ１は、評価を行っていないユーザのユーザ端末２に限定して、動画像データの表示態様を変化させることができる。
【００４８】
［画像処理システムＳにおける動作シーケンス］
図７は、画像処理システムＳの動作シーケンス図である。図７に示す例では、第１時期に複数のユーザ端末２Ａに、複数の動画像データを一つの画面に表示するように配信し、第１時期よりも後の第２時期に、当該複数のユーザ端末２Ａとは異なる他のユーザ端末２Ｂに、複数の動画像データを一つの画面に表示するときの処理の流れを示すものとする。
【００４９】
まず、サーバ１の表示態様制御部１３３は、複数のユーザ端末２Ａに、複数の動画像データを一つの画面に表示するように配信する（Ｓ１）。
複数のユーザ端末２Ａの動画像データ取得部２５１は、サーバ１から配信された複数の動画像データを取得する。複数のユーザ端末２Ａの表示制御部２５３は、取得された複数の動画像データを一つの画面に表示させる（Ｓ２）。複数のユーザ端末２Ａの表示制御部２５３は、複数の動画像データを表示する一つの画面において、複数の動画像データのそれぞれの表示領域にユーザが動画像データの評価を行うための評価ボタンを表示させる。
【００５０】
複数のユーザ端末２Ａの評価情報送信部２５４は、ユーザが評価ボタンを押下したことに応じて、押下された評価ボタンに対応する動画像の評価が行われたことを示す評価情報をサーバ１に送信する（Ｓ３）。
【００５１】
サーバ１の取得部１３１は、複数のユーザ端末２Ａから評価情報を受信することにより、評価情報に含まれる動画像ＩＤを取得する。また、取得部１３１は、ユーザ端末２から評価情報を受信した時刻を評価付与時刻として取得する。取得部１３１は、取得した動画像ＩＤと、評価付与時刻とを関連付けて評価履歴情報として記憶部１２に記憶させる（Ｓ４）。続いて、サーバ１の設定部１３２は、評価履歴情報を参照し、ユーザ端末２に表示制御情報を送信するために用いる表示制御管理情報を作成する（Ｓ５）。
【００５２】
その後、サーバ１の表示態様制御部１３３は、複数のユーザ端末２Ａとは異なるユーザ端末２Ｂに、複数の動画像データを一つの画面に表示するように配信する（Ｓ６）。ユーザ端末２Ｂの動画像データ取得部２５１は、サーバ１から配信された複数の動画像データを取得する。複数のユーザ端末２Ｂの表示制御部２５３は、取得された複数の動画像データを一つの画面に表示させる（Ｓ７）。
【００５３】
表示態様制御部１３３は、記憶部１２に記憶されている表示制御管理情報を参照し、ユーザ端末２に配信している複数の動画像データに対応するコンテンツＩＤに関連付けられている動画像ＩＤと、評価付与時刻とを特定する。表示態様制御部１３３は、評価付与時刻よりも所定時間前の時刻になると、当該評価付与時刻に関連付けられている動画像ＩＤを含む表示制御情報をユーザ端末２に送信する（Ｓ８）。
【００５４】
表示制御部２５３は、制御情報取得部２５２がサーバ１から送信された表示制御情報を取得すると、動画像データの表示態様を変更する（Ｓ９）。具体的には、表示制御部２５３は、受信した表示制御情報に基づいて、過去に評価が与えられた動画像データを、他の動画像データに比べて強調した表示態様で表示させる。
【００５５】
［画像処理システムＳによる効果］
以上説明したように、本実施形態に係るサーバ１は、動画像データが表示されている一以上のユーザ端末２において評価が与えられた動画像データを識別する動画像ＩＤと、当該動画像データにおいて評価が与えられた時刻である評価付与時刻とを取得する。そして、サーバ１は、評価が与えられた動画像データを含む複数の動画像データを表示するユーザ端末２が複数の動画像データを一つの画面に表示するように複数の動画像データをユーザ端末２に配信する場合に、評価が与えられた動画像データを、評価付与時刻以前の時刻から、ユーザ端末２に表示された他の動画像データと異なる表示態様で表示させる。このようにすることで、サーバ１は、過去に視聴した他のユーザの間で盛り上がった動画像をユーザが適切なタイミングで視聴し易くすることができる。
【００５６】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００５７】
１  サーバ
２  ユーザ端末
１１  通信部
１２  記憶部
１３  制御部
２１  操作部
２２  表示部
２３  通信部
２４  記憶部
２５  制御部
１３１  取得部
１３２  設定部
１３３  表示態様制御部
２５１  動画像データ取得部
２５２  制御情報取得部
２５３  表示制御部
２５４  評価情報送信部
Ｓ  配信システム
【要約】
【課題】過去に閲覧した他のユーザの間で盛り上がった動画像をユーザが適切なタイミングで視聴し易くする。
【解決手段】サーバ１は、動画像データが表示されている一以上のユーザ端末２において評価が与えられた動画像データを識別する動画像ＩＤと、当該動画像データにおいて評価が与えられた時刻である評価付与時刻とを取得する取得部１３１と、評価が与えられた動画像データを含む複数の動画像データを表示するユーザ端末２が複数の動画像データを一つの画面に表示するように複数の動画像データをユーザ端末２に配信する場合に、評価が与えられた動画像データを、評価付与時刻以前の時刻から、ユーザ端末２に表示された他の動画像データと異なる表示態様で表示させる表示態様制御部１３３と、を有する。
【選択図】図４【図１】
0006955067.tif 000002
【図２】
0006955067.tif 000003
【図３】
0006955067.tif 000004
【図４】
0006955067.tif 000005
【図５】
0006955067.tif 000006
【図６】
0006955067.tif 000007
【図７】
0006955067.tif 000008